【手続補正書】
【提出日】平成28年2月5日(2016.2.5)
【手続補正１】
【補正対象書類名】明細書
【補正対象項目名】０００８
【補正方法】変更
【補正の内容】
【０００８】
【化１】
2013210626.tif 000001
［式（１）中、
Ｒ2、Ｒ3、Ａｒ1およびＡｒ2の少なくとも１つは、直接、又は、連結基を介して該高分子部と連結しており、
Ｒ1は、それぞれ独立して、水素原子、ハロゲン原子、アルキル基、アルコキシ基、トリフルオロメチル基、シアノ基、またはヒドロキシル基を表し、高分子部と連結しないＲ2、Ｒ3は、それぞれ独立して、アルキル基、フェニル基、ＯＲ4基、及びＮＲ5Ｒ6基からなる群より選択される１価の基を表し、Ｒ4乃至Ｒ6は、それぞれ独立して、水素原子、アルキル基、フェニル基、またはアラルキル基を表し、
高分子部と連結しないＡｒ1、Ａｒ2は、それぞれ独立して、アリール基を表し、
高分子部と連結するＲ2、Ｒ3は、上記Ｒ2、Ｒ3が表す１価の基から１つの水素元素が脱離した２価の基、または２つの水素元素が脱離した３価の基を表し、
高分子部と連結するＡｒ1、Ａｒ2は、上記Ａｒ1、Ａｒ2が表すアリール基から１つの水素元素が脱離した２価の基、または２つの水素元素が脱離した３価の基を表し、
ｍは、３または４の整数を表し、ｎは、１または２の整数を表し、ｎ＋ｍは５である。］
【手続補正２】
【補正対象書類名】特許請求の範囲
【補正対象項目名】全文
【補正方法】変更
【補正の内容】
【特許請求の範囲】
【請求項１】
結着樹脂、下記式（２）で表される単量体単位を有する高分子部と、下記式（１）で表される部分構造とが連結した化合物、および、着色剤としてカーボンブラックを含有するトナー粒子を有することを特徴とするブラックトナー。
【化１】
2013210626.tif 000002
［式（１）中、
Ｒ2、Ｒ3、Ａｒ1およびＡｒ2の少なくとも１つは、直接、又は、連結基を介して該高分子部と連結しており、
Ｒ1は、それぞれ独立して、水素原子、ハロゲン原子、アルキル基、アルコキシ基、トリフルオロメチル基、シアノ基、またはヒドロキシル基を表し、
高分子部と連結しないＲ2、Ｒ3は、それぞれ独立して、アルキル基、フェニル基、ＯＲ4基、及びＮＲ5Ｒ6基からなる群より選択される１価の基を表し、Ｒ4乃至Ｒ6は、それぞれ独立して、水素原子、アルキル基、フェニル基、またはアラルキル基を表し、
高分子部と連結しないＡｒ1、Ａｒ2は、それぞれ独立して、アリール基を表し、
高分子部と連結するＲ2、Ｒ3は、上記Ｒ2、Ｒ3が表す１価の基から１つの水素元素が脱離した２価の基、または２つの水素元素が脱離した３価の基を表し、
高分子部と連結するＡｒ1、Ａｒ2は、上記Ａｒ1、Ａｒ2が表すアリール基から１つの水素元素が脱離した２価の基、または２つの水素元素が脱離した３価の基を表し、
ｍは、３または４の整数を表し、ｎは、１または２の整数を表し、ｎ＋ｍは、５である。］
【化２】
2013210626.tif 000003
［式（２）中、
Ｒ7は、水素原子、またはアルキル基を表し、
Ｒ8は、フェニル基、カルボキシル基、カルボン酸エステル基、またはカルボン酸アミド基を表す。］
【請求項２】
式（１）で表される部分構造が下記一般式（３）で表されることを特徴とする請求項１に記載のブラックトナー。
【化３】
2013210626.tif 000004
［式（３）中、
Ｒ1は、それぞれ独立して、水素原子、ハロゲン原子、アルキル基、アルコキシ基、トリフルオロメチル基、シアノ基、またはヒドロキシル基を表し、
Ｒ9、Ｒ10は、それぞれ独立して、アルキル基、フェニル基、ＯＲ4基、またはＮＲ5Ｒ6基（Ｒ4乃至Ｒ6は、それぞれ独立して、水素原子、アルキル基、フェニル基、またはアラルキル基を表す。）を表し、
Ｒ11乃至Ｒ20は、それぞれ独立して、水素原子、ＣＯＯＲ21基、ＣＯＮＲ22Ｒ23基、又は、該高分子部との連結基を表し、Ｒ21乃至Ｒ23は、それぞれ独立して、水素原子またはアルキル基を表し、
Ｒ11乃至Ｒ20の少なくとも１つは、該高分子部との連結基を表し、
ｍは、３または４の整数を表し、ｎは、１または２の整数を表し、ｎ＋ｍは、５である。］
【請求項３】
式（１）で表される部分構造が、下記式（４）もしくは下記一般式（５）で表されることを特徴とする請求項１に記載のブラックトナー。
【化４】
2013210626.tif 000005
［式（４）中、Ｒ1は、それぞれ独立して、水素原子、ハロゲン原子、アルキル基、アルコキシ基、トリフルオロメチル基、シアノ基、またはヒドロキシル基を表し、
Ｒ9およびＲ10は、それぞれ独立して、アルキル基、フェニル基、ＯＲ4基、またはＮＲ5Ｒ6基（Ｒ4乃至Ｒ6は、それぞれ独立して、水素原子、アルキル基、フェニル基、またはアラルキル基を表す。）を表し、
Ｒ24乃至Ｒ28は、それぞれ独立して、水素原子、ＣＯＯＲ21基、またはＣＯＮＲ22Ｒ23基（Ｒ21乃至Ｒ23は、それぞれ独立して、水素原子またはアルキル基を表す）を表し、
ｌは、４であり、
Ｌは、上記式（２）で表される単量体単位を有する高分子部と連結する二価の連結基を表す。］
【化５】
2013210626.tif 000006
［式（５）中、Ｒ1は、それぞれ独立して、水素原子、ハロゲン原子、アルキル基、アルコキシ基、トリフルオロメチル基、シアノ基、またはヒドロキシル基を表し、
Ｒ9およびＲ10は、それぞれ独立して、アルキル基、フェニル基、ＯＲ4基、またはＮＲ5Ｒ6基（Ｒ4乃至Ｒ6は、それぞれ独立して、水素原子、アルキル基、フェニル基、またはアラルキル基を表す。）を表し、
Ｒ24乃至Ｒ28は、それぞれ独立して、水素原子、ＣＯＯＲ21基、またはＣＯＮＲ22Ｒ23基（Ｒ21乃至Ｒ23は、それぞれ独立して、水素原子またはアルキル基を表す）を表し、
ｌは、４であり、
Ｌは、上記式（２）で表される単量体単位を有する高分子部と連結する二価の連結基を表す。］
【請求項４】
式（１）で表される部分構造が、式（４）であり、式（４）中のＲ24乃至Ｒ28の少なくとも１つが、ＣＯＯＲ21基、またはＣＯＮＲ22Ｒ23基（Ｒ21乃至Ｒ23は、それぞれ独立して、水素原子またはアルキル基を表す）であり、Ｒ1が、水素原子であることを特徴とする請求項３に記載のブラックトナー。
【請求項５】
式（１）で表される部分構造が、式（５）であり、式（５）中のＲ24乃至Ｒ28の少なくとも１つが、ＣＯＯＲ21基、またはＣＯＮＲ22Ｒ23基（Ｒ21乃至Ｒ23は、それぞれ独立して、水素原子またはアルキル基を表す）であり、Ｒ1が、水素原子であることを特徴とする請求項３に記載のブラックトナー。
【請求項６】
式（１）で表される部分構造が、下記式（６）もしくは下記式（７）で表される部分構造であることを特徴とする請求項１に記載のブラックトナー。
【化６】
2013210626.tif 000007
［式（６）中、
Ｒ1は、それぞれ独立して、水素原子、ハロゲン原子、アルキル基、アルコキシ基、トリフルオロメチル基、シアノ基、またはヒドロキシル基を表し、
Ｒ9は、それぞれ独立して、アルキル基、フェニル基、ＯＲ4基、またはＮＲ5Ｒ6基（Ｒ4乃至Ｒ6は、それぞれ独立して、水素原子、アルキル基、フェニル基、またはアラルキル基を表す。）を表し、
ｐは、２または３の整数を表し、ｑは、３または４の整数を表し、ｐ＋ｑは、６であり、
Ｌは、上記式（２）で表される単量体単位を有する高分子部と連結する二価の連結基を表す。］
【化７】
2013210626.tif 000008
［式（７）中、
Ｒ1は、それぞれ独立して、水素原子、ハロゲン原子、アルキル基、アルコキシ基、トリフルオロメチル基、シアノ基、またはヒドロキシル基を表し、
Ｒ9は、それぞれ独立して、アルキル基、フェニル基、ＯＲ4基、またはＮＲ5Ｒ6基（Ｒ4乃至Ｒ6は、それぞれ独立して、水素原子、アルキル基、フェニル基、またはアラルキル基を表す。）を表し、
ｐは、２または３の整数を表し、ｑは、３または４の整数を表し、ｐ＋ｑは、６であり、
Ｌは、上記一般式（２）で表される単量体単位を有する高分子部と連結する二価の連結基を表す。］
【請求項７】
式（１）で表される部分構造が、式（６）であり、式（６）中のＲ1が水素原子であり、ｑが３または４であることを特徴とする請求項６に記載のブラックトナー。
【請求項８】
式（１）で表される部分構造が、式（７）であり、式（７）中のＲ1が水素原子であり、ｑが３または４であることを特徴とする請求項６に記載のブラックトナー。
【請求項９】
式（１）で表わされる部分構造と上記式（２）で表される単量体単位を有する高分子部との連結が、カルボン酸エステル結合もしくはカルボン酸アミド結合を介して行われていることを特徴とする請求項１乃至８のいずれか一項に記載のブラックトナー。